(57)【要約】  ディスプレイ筐体（１０２）にヒンジ（１１０）によって機械的に結合される基部（１００）を有する携帯電子装置は、ディスプレイが閉じられる時に、ディスプレイ筐体（１０２）を基部（１００）に機械的にロックするように構成されるディスプレイ筐体（１０２）上のラッチ（１１２）を含んで構築される。ラッチ（１１２）は、ディスプレイ筐体（１０２）に永久的に結合され、無線ネットワーク（１１６）のためのＲＦアンテナとして作用するように無線ネットワーク回路（１１６）に電気的に結合される。
2008518521.tif 000002
【特許請求の範囲】
【請求項１】
本体１００と、
無線ネットワークデバイス１１６と、
前記本体１００と機械的に結合され、前記無線ネットワークデバイス１１６に電気的に結合される少なくとも１つのラッチ１１２を含むディスプレイ筐体１０２とを備え、
前記ラッチ１１２は、前記無線ネットワークデバイス１１６のためのＲＦアンテナとして動作するように構成されることを特徴とする装置。
【請求項２】
前記ディスプレイ筐体１０２は、１つ又は複数のヒンジ１１０により前記本体１００に機械的に結合されることを特徴とする請求項１に記載の装置。
【請求項３】
前記無線ネットワークデバイス１１６は、前記本体１００内に封入され、
前記少なくとも１つのラッチ１１２は、前記１つ又は複数のヒンジ１１０を通して前記無線ネットワークデバイス１１６に電気的に結合されることを特徴とする請求項２に記載の装置。
【請求項４】
前記本体１００は少なくとも１つのラッチレセプタクル１１４を有し、
前記少なくとも１つのラッチ１１２は、前記ディスプレイ筐体１０２が閉じられる時に、前記少なくとも１つのラッチレセプタクル１１４に機械的に結合するように構成されることを特徴とする請求項１に記載の装置。
【請求項５】
前記ラッチ１１２はＰＩＦＡアンテナを形成することを特徴とする請求項１に記載の装置。
【請求項６】
前記ラッチ１１２はループタイプアンテナを形成することを特徴とする請求項１に記載の装置。
【請求項７】
ラッチにＲＦアンテナを組み込む方法であって、
ａ）本体１００を有する電子装置を設けるステップと、
ｂ）少なくとも１つのラッチ１１２を有するディスプレイ筐体１０２を設けるステップと、
ｃ）無線ネットワークデバイス１１６を設けるステップと、
ｄ）前記ディスプレイ筐体１０２を前記本体１００に機械的に結合するステップと、
ｅ）前記少なくとも１つのラッチ１１２を前記無線ネットワークデバイス１１６に電気的に結合するステップと、
ｆ）前記少なくとも１つのラッチ１１２を前記無線ネットワークデバイス１１６のためのＲＦアンテナとして構成するステップとを含むことを特徴とする方法。
【請求項８】
前記ディスプレイ筐体１０２は、１つ又は複数のヒンジ１１０により前記本体１００に機械的に結合されることを特徴とする請求項７に記載の方法。
【請求項９】
前記無線ネットワークデバイス１１６は、前記本体１００内に封入され、
前記少なくとも１つのラッチ１１２は、前記１つ又は複数のヒンジ１１０を通して前記無線ネットワークデバイス１１６に電気的に結合されることを特徴とする請求項７に記載の方法。
【請求項１０】
前記本体１００は少なくとも１つのラッチレセプタクル１１４を有し、
前記少なくとも１つのラッチ１１２は、前記ディスプレイ筐体１０２が閉じられる時に、前記ラッチレセプタクル１１４に機械的に結合するように構成されることを特徴とする請求項７に記載の装置。
【発明の詳細な説明】
【技術分野】
【０００１】
本発明は、包括的には無線ネットワークの分野に関し、特には、無線ネットワークで使用するＲＦアンテナに関する。
【背景技術】
【０００２】
無線ネットワークがますます一般的になるに従い、多くのモバイルコンピューティング装置は、携帯用のコンピュータ内にネットワークハードウェアを組み込んでいる。シグナルインテグリティはネットワーク速度に対応するため、設計者は、シグナルインテグリティを最大化するように携帯電子装置内に有効なＲＦアンテナを設けるように努力する。従来の解決法は、携帯装置に電気的に結合する外部ＲＦアンテナを使用すること、又はディスプレイ筐体内にＲＦアンテナを配置することを含む。外部ＲＦアンテナには、外部ＲＦアンテナコネクタを設けるために携帯装置が必要であり、それは筐体の外側の貴重な空間を占める。また、外部ＲＦアンテナは、通常、不注意にぶつけられるか又は他の方法で衝撃を受ける可能性がある筐体の側面のうちの１つに沿って取り付けられるため、損傷を受けやすい。特にラップトップコンピュータの場合に、ディスプレイ筐体内にＲＦアンテナを配置することにより、外部ＲＦアンテナに固有の問題のいくつかが解決されるが、また他の問題ももたらされる。たとえば、ＲＦアンテナをディスプレイ筐体内に配置することにより、筐体とディスプレイ自体との間の間隔の制約により、アンテナのサイズが制限され、ディスプレイハードウェアがアンテナの近くにあることによりシグナルインテグリティが劣化する可能性があり、且つ、取付け中にアンテナが損傷を受けやすい可能性がある。
【発明の開示】
【０００３】
ディスプレイ筐体にヒンジによって機械的に結合される基部を有する携帯電子装置は、ディスプレイが閉じられる時に、ディスプレイ筐体を基部に機械的にロックするように構成されるディスプレイ筐体上のラッチを含んで構築される。ラッチは、ディスプレイ筐体に永久的に結合され、無線ネットワークのためのＲＦアンテナとして作用するように無線ネットワーク回路に電気的に結合される。
【０００４】
本発明の他の態様及び利点は、例として本発明の原理を説明する添付図面とともに以下の詳細な説明から明らかとなろう。
【発明を実施するための最良の形態】
【０００５】
図１は、本発明による本体及びディスプレイ筐体を含む携帯電子装置の図である。本発明の実施形態例では、本体１００及びディスプレイ筐体１０２を有する携帯電子装置が提供される。ディスプレイ筐体１０２内にディスプレイ１０４がある。本体１００は、キーボード１０６及びタッチパッド１０８を有する。ディスプレイ筐体１０２は、２つのヒンジ１１０によって本体１００に機械的に結合される。ディスプレイ筐体１０２は、閉じられると、本体１００内のラッチレセプタクル１１４にロックする２つのラッチ１１２によって本体１００にロックされる。本体１００内には、任意の利用可能な無線ネットワークと通信するために使用される無線ネットワークデバイス１１６がある。ラッチ１１２は、無線ネットワークデバイス１１６のためのＲＦアンテナとして動作するようにこの無線ネットワークデバイス１１６に電気的に結合される。当業者は、本発明のこの実施形態例では、携帯電子装置の本体１００に存在するものとして示される無線ネットワークデバイス１１６を、本発明の範囲内にある他の実施形態では、実際には、ディスプレイ筐体等の他の場所に、又はさらには携帯電子装置の外部に配置してもよいということを理解するであろう。また、ラッチ１１２を、本発明の範囲内でＰＩＦＡ（板状逆Ｆアンテナ）又はループタイプ等、種々のアンテナ設計に組み込んでもよい。ラッチ１１２を、無線ネットワークデバイス１１６のための１つ又は複数のＲＦアンテナとして作用するように構成することにより、従来技術による解決法に対するいくつかの利点が得られる。まず、ディスプレイ筐体が本体１００から開かれる時、ラッチ１１２は、携帯電子装置の最高点の近くにあり、その結果、無線ネットワーク信号の受信性能が向上する。また、アンテナは、アンテナをディスプレイ筐体１０２内に組み込む解決法よりディスプレイ１０４から離れたより外側の領域を有するため、性能が向上することができる。また、必要ならば、アンテナ性能をさらに向上させるために、外部アンテナ拡張部分をラッチ１１２に電気的且つ機械的に結合してもよい。さらに、多様性を提供するために複数のラッチを使用してもよい。ＲＦアンテナの多様性、又は異なる周波数若しくは偏光特性を提供するために、搭載アンテナとともに単一ラッチを使用してもよい。
【０００６】
図２は、本発明によるＲＦアンテナとして動作するように構成される２つのラッチを有するディスプレイ筐体の平面図である。図１に示すような本発明の実施形態例の平面図では、２つのラッチ２０２を有するディスプレイ筐体２００が提供される。この実施形態例に示すようなこれらラッチ２０２は、ディスプレイ筐体２００に機械的に結合され且つ携帯電子装置の本体１００内に設けられるラッチレセプタクル１１４と結合するように構成される２つの金属ループである。これらラッチ２０２はまた、無線ネットワークデバイス１１６のための１つ又は複数のＲＦアンテナとして作用するように、無線ネットワークデバイス１１６と電気的に結合される。当業者は、本発明の範囲内で他の多くのラッチ形状を使用してもよく、且つこれら金属ループは、単に本発明の実施形態例であるということを理解するであろう。
【０００７】
図３は、本発明によるＲＦアンテナとして動作するように構成される２つのラッチを有するディスプレイ筐体の正面図である。本発明のこの実施形態例では、ディスプレイ３０２、ヒンジ３０４及び２つのラッチ３０６を有する、図１及び図２のものに類似するディスプレイ筐体３００が提供される。２つのラッチ３０６は、ＲＦアンテナとして動作するように構成され、ワイヤ３０８を通して無線ネットワークデバイス（この図には図示せず）と電気的に結合される。当業者は、本発明のこの実施形態例では、ラッチ３０６が、２つのヒンジ３０４を通っている２つのワイヤを介して無線ネットワークデバイスに電気的に結合するように示すが、ラッチ３０６を無線ネットワークデバイスに電気的に結合するために他の多くの方法を使用してもよい、ということを理解するであろう。
【０００８】
図４は、本発明によるＲＦアンテナを機械的ラッチに組み込む一方法のフローチャートである。ステップ４００において、本体を有する電子装置を設ける。ステップ４０２において、少なくとも１つのラッチを有するディスプレイ筐体を設ける。ステップ４０４において、無線ネットワークデバイスを設ける。ステップ４０６において、ディスプレイ筐体を本体に機械的に結合する。ステップ４０８において、ラッチを無線ネットワークデバイスに電気的に結合するとともに無線ネットワークデバイスのためのＲＦアンテナとして作用するように構成する。
【０００９】
本発明の上述した説明を、例示及び説明の目的で提示した。それは、網羅的であるようにも、本発明を開示した厳密な形態に限定するようにも意図されておらず、上記教示に鑑みて他の変更及び変形も可能であり得る。本発明の原理及びその実際的な適用を最もよく説明することにより、当業者が、企図された特定の使用に適するよう、本発明をさまざまな実施形態及びさまざまな変更態様で最もよく利用することができるように、実施形態を選択し説明した。添付の特許請求の範囲は、従来技術によって限定される限りを除き本発明の他の代替実施形態を包含するように解釈されることが意図されている。
【図面の簡単な説明】
【００１０】
【図１】本発明による本体及びディスプレイ筐体を含む携帯電子装置の図である。
【図２】本発明によるＲＦアンテナとして動作するように構成される２つのラッチを含むディスプレイ筐体の平面図である。
【図３】本発明によるＲＦアンテナとして作用するように構成される２つのラッチを含むディスプレイ筐体の正面図である。
【図４】本発明による、ＲＦアンテナを機械的ラッチに組み込む一方法のフローチャートである。
【図１】
2008518521.tif 000003
【図２】
2008518521.tif 000004
【図３】
2008518521.tif 000005
【図４】
2008518521.tif 000006
【手続補正書】
【提出日】平成18年6月16日(2006.6.16)
【手続補正１】
【補正対象書類名】特許請求の範囲
【補正対象項目名】全文
【補正方法】変更
【補正の内容】
【特許請求の範囲】
【請求項１】
本体（１００）と、
無線ネットワークデバイス（１１６）と、
前記本体（１００）と機械的に結合され、前記無線ネットワークデバイス（１１６）に電気的に結合される少なくとも１つのラッチ（１１２）を含むディスプレイ筐体（１０２）とを備え、
前記ラッチ（１１２）は、前記無線ネットワークデバイス（１１６）のためのＲＦアンテナを形成する金属であることを特徴とする携帯装置。
【請求項２】
前記ディスプレイ筐体（１０２）は、１つ又は複数のヒンジ（１１０）により前記本体（１００）に機械的に結合されることを特徴とする請求項１に記載の装置。
【請求項３】
前記無線ネットワークデバイス（１１６）は、前記本体（１００）内に封入され、
前記少なくとも１つのラッチ（１１２）は、前記１つ又は複数のヒンジ（１１０）を通して前記無線ネットワークデバイス（１１６）に電気的に結合されることを特徴とする請求項２に記載の装置。
【請求項４】
前記本体（１００）は少なくとも１つのラッチレセプタクル（１１４）を有し、
前記少なくとも１つのラッチ（１１２）は、前記ディスプレイ筐体（１０２）が閉じられる時に、前記少なくとも１つのラッチレセプタクル（１１４）に機械的に結合するように構成されることを特徴とする請求項１に記載の装置。
【請求項５】
前記少なくとも１つのラッチ（１１２）はＰＩＦＡアンテナを形成する形状をしていることを特徴とする請求項１に記載の装置。
【請求項６】
前記少なくとも１つのラッチ（１１２）はループタイプアンテナを形成する形状をしていることを特徴とする請求項１に記載の装置。
【請求項７】
ラッチにＲＦアンテナを組み込む方法であって、
ａ）本体（１００）を有する携帯電子装置を提供するステップと、
ｂ）少なくとも１つのラッチ（１１２）を有するディスプレイ筐体（１０２）を提供するステップであって、前記ラッチ（１１２）はＲＦアンテナを形成する金属から成る、提供するステップと、
ｃ）無線ネットワークデバイス（１１６）を提供するステップと、
ｄ）前記ディスプレイ筐体（１０２）を前記本体（１００）に機械的に結合するステップと、
ｅ）前記少なくとも１つのラッチ（１１２）を前記無線ネットワークデバイス（１１６）に電気的に結合するステップであって、それにより前記少なくとも１つのラッチ（１１２）が前記無線ネットワークデバイス（１１６）のためのＲＦアンテナを形成するようにする、電気的に結合するステップとを含むことを特徴とする方法。
【請求項８】
前記ディスプレイ筐体（１０２）を前記本体（１００）に機械的に結合する前記ステップは、１つ又は複数のヒンジ（１１０）を使用して前記ディスプレイ筐体（１０２）を前記本体（１００）に結合することを含むことを特徴とする請求項７に記載の方法。
【請求項９】
前記無線ネットワークデバイス（１１６）を提供する前記ステップは、前記本体（１００）内に封入される前記無線ネットワークデバイス（１１６）を提供することを含み、
前記少なくとも１つのラッチ（１１２）を前記無線ネットワークデバイス（１１６）に電気的に結合する前記ステップは、１つ又は複数のヒンジ（１１０）を通して前記少なくとも１つのラッチ（１１２）を前記無線ネットワークデバイス（１１６）に電気的に結合することを含むことを特徴とする請求項８に記載の方法。
【国際調査報告】
2008518521.tif 000007
2008518521.tif 000008
2008518521.tif 000009